(57)【要約】【課題】セキュリティを強化するとともに、両面扉が同時に開くことを防止可能なパススルー式の貯蔵庫を提供する。【解決手段】互いに異なる面に開口する貯蔵室１３ａを有する箱状の貯蔵庫本体１３と、一面側を開閉可能な第１扉１２と、他面側を開閉可能な第２扉１２とを備える貯蔵庫において、第１ロック装置２１によって第１扉１２を施錠状態としておき、認証装置４０によって使用者が認証された場合に、第１ロック装置２１によって第１扉１２を解錠状態とする第１扉認証時解錠処理と、その第１扉認証時解錠処理において第２扉１１が開かれている場合には、第１ロック装置２１によって第１扉１２が解錠状態となることを禁止する第１扉解錠禁止処理と、を実行するように構成する。【選択図】図８
2020133986.tif 000002
【特許請求の範囲】
【請求項１】
互いに異なる面に開口する貯蔵室を有する箱状の貯蔵庫本体と、
前記貯蔵庫本体に取り付けられて前記貯蔵室の一面側を開閉可能な第１扉と、
前記貯蔵庫本体に取り付けられて前記貯蔵室の他面側を開閉可能な第２扉と、
前記第１扉に対応して設けられ、駆動源を有して前記第１扉の施錠・解錠を行う第１ロック装置と、
前記第２扉に対応して設けられ、駆動源を有して前記第２扉の施錠・解錠を行う第２ロック装置と、
使用者の個人認証を行う認証装置と、
前記第１ロック装置および前記第２ロック装置を制御して前記第１扉および前記第２扉の施錠状態・解錠状態を切り替える施解錠切替部を有する制御装置と、を備え、
前記施解錠切替部は、
前記第１ロック装置によって前記第１扉を施錠状態としておき、前記認証装置によって使用者が認証された場合に、前記第１ロック装置によって前記第１扉を解錠状態とする第１扉認証時解錠処理と、
前記第１扉認証時解錠処理において前記第２扉が開かれている場合には、前記第１ロック装置によって前記第１扉が解錠状態となることを禁止する第１扉解錠禁止処理と、を実行するように構成された貯蔵庫。
【請求項２】
前記施解錠切替部は、前記第１扉が開かれている場合に、前記第２ロック装置によって前記第２扉を施錠状態とする第２扉施錠処理を実行する請求項１に記載の貯蔵庫。
【請求項３】
前記第１扉側に設けられ、前記第１扉が施錠状態にあるか解錠状態にあるかを表す第１扉施解錠ランプと、
前記第１扉側に設けられ、前記認証装置によって使用者の認証を行う状態にあるか否かを表す認証ランプと、
を備えた請求項１または請求項２に記載の貯蔵庫。
【請求項４】
前記施解錠切替部は、前記第１扉が閉じられ、かつ、使用者の認証から一定時間経過した場合に、前記第１扉を前記第１ロック装置によって施錠する自動施錠処理を実行する請求項１から請求項３のいずれか１項に記載の貯蔵庫。
【請求項５】
前記施解錠切替部は、前記認証装置によって前記使用者とは異なる特定の者が認証された場合に、前記第１ロック装置を制御して前記第１扉を施錠状態とし、前記第１扉認証時解錠処理によって前記第１扉が解錠されることを禁止する特定者施錠処理を実行する請求項４に記載の貯蔵庫。
【請求項６】
前記施解錠切替部は、前記認証装置によって前記使用者とは異なる特定の者が認証された場合に、前記第１ロック装置を制御して前記第１扉を解錠状態とし、前記自動施錠処理によって前記第１扉が施錠されることを禁止する特定者解錠処理を実行する請求項４に記載の貯蔵庫。
【請求項７】
現在時刻を計時する時刻計時部を備え、
前記施解錠切替部は、設定された時刻の間、前記認証装置によって使用者が認証された場合であっても前記第１扉認証時解錠処理によって前記第１扉が解錠状態となることを禁止する設定時刻解錠禁止処理を実行する請求項１から請求項６のいずれか１項に記載の貯蔵庫。
【請求項８】
前記認証装置は、当該貯蔵庫における前記一面側に設けられた第１認証装置であり、
当該貯蔵庫は、当該貯蔵庫における前記他面側に設けられた第２認証装置を備え、
前記施解錠切替部は、
前記第２ロック装置によって前記第２扉を施錠状態としておき、前記第２認証装置によって使用者が認証された場合に、前記第２ロック装置によって前記第２扉を解錠状態とする第２扉認証時解錠処理と、
前記第２扉認証時解錠処理において、前記第１扉が開かれている場合には、前記第２ロック装置によって前記第２扉が解錠状態とすることを禁止する第２扉解錠禁止処理と、を実行するように構成された請求項１から請求項７のいずれか１項に記載の貯蔵庫。
【請求項９】
音によって周囲に対して報知を行う報知装置を備え、
前記制御装置は、前記認証装置によって使用者が認証された場合に、前記報知装置によって使用者の認証が行われたことを報知する報知制御部を有する請求項１から請求項８のいずれか１項に記載の貯蔵庫。
【請求項１０】
前記報知制御部は、前記認証装置によって使用者が認証された後、前記第１ロック装置によって前記第１扉を解錠状態としている間報知を行う請求項９に記載の貯蔵庫。
【請求項１１】
前記報知制御部は、前記第１扉が解錠状態とされた後に前記第１扉が開状態とされ、前記第１扉が開状態のまま一定時間が経過した場合に報知を行う請求項９または請求項１０に記載の貯蔵庫。
【請求項１２】
前記制御装置は、
前記認証装置によって使用者が認証された場合に、その認証された使用者による当該貯蔵庫に対する操作に係る情報である操作情報を記録する記録部と、
前記記録部に記録された前記操作情報を表示装置に出力する操作情報出力部と、を有する請求項１から請求項１１のいずれか１項に記載の貯蔵庫。
【請求項１３】
当該貯蔵庫は、外部の端末と通信によって接続されており、前記端末から特定の操作を入力可能とされるともに、前記端末に前記操作情報を送信可能とされた請求項１２に記載の貯蔵庫。
【請求項１４】
現在時刻を計時する時刻計時部を備え、
前記施解錠切替部は、設定された時刻の間、前記第１ロック装置および前記第２ロック装置をオフ状態として前記第１扉および前記第２扉を解錠状態とする設定時刻解錠処理を実行する請求項１から請求項１３のいずれか１項に記載の貯蔵庫。
【請求項１５】
当該貯蔵庫の主電源が入れられた状態で、前記第１ロック装置および前記第２ロック装置をオフ状態として前記第１扉および前記第２扉を解錠状態とするためのロック機能オフスイッチを備えた請求項１から請求項１４のいずれか１項に記載の貯蔵庫。
【請求項１６】
警報処理を行う警報装置を備え、
前記制御装置は、前記第１ロック装置によって施錠状態にある前記第１扉が開かれた場合、前記第２ロック装置によって施錠状態にある前記第２扉が開かれた場合に、前記警報装置を作動させる請求項１から請求項１５のいずれか１項に記載の貯蔵庫。
【請求項１７】
前記認証装置は、使用者の指紋を読み取ってその使用者の個人認証を行う紋認証装置である請求項１から請求項１６のいずれか１項に記載の貯蔵庫。
【発明の詳細な説明】
【技術分野】
【０００１】
本発明は、貯蔵庫に関する。
【背景技術】
【０００２】
下記特許文献１には、貯蔵庫としての冷却庫が記載されている。下記特許文献１に記載の貯蔵庫は、水平方向における両面側に開口する貯蔵室を有する箱状の貯蔵庫本体と、貯蔵庫本体に取り付けられて貯蔵室の水平方向における一面側を開閉可能な第１扉と、貯蔵室の水平方向における他面側を開閉可能な第２扉と、を備えた構成のもの、平たく言えば、両面扉の貯蔵庫、いわゆるパススルー式の貯蔵庫である。
【先行技術文献】
【特許文献】
【０００３】
【特許文献１】特開２００６−４６８６１号公報
【発明の概要】
【発明が解決しようとする課題】
【０００４】
上記特許文献１に記載のパススルー式の貯蔵庫は、例えば、一面側と他面側とがそれぞれ別の部屋に面する状態で設置し、それぞれの部屋から貯蔵庫を使用可能となる。しかしながら、このようなパススルー式の貯蔵庫は、当該貯蔵庫の所有者以外の者が、所有者がいる部屋とは別の部屋から使用する場合も多く、セキュリティの強化が望まれる。また、例えば、パススルー式の貯蔵庫の一面側と他面側とが、除菌等の空気の清浄化が行われている清潔空間と、空気の清浄化が行われていない非清潔空間とに、それぞれ面するように設置されている状態で、両方の扉を同時に開けてしまうと、非清潔空間の空気が清潔空間側に大量に流れ込んでしまう虞がある。
【０００５】
本発明は、そのような実情に鑑みてなされたものであり、セキュリティを強化するとともに、両面扉が同時に開くことを防止可能なパススルー式の貯蔵庫を提供することを課題とする。
【課題を解決するための手段】
【０００６】
上記課題を解決するために本発明の貯蔵庫は、
互いに異なる面に開口する貯蔵室を有する箱状の貯蔵庫本体と、
前記貯蔵庫本体に取り付けられて前記貯蔵室の一面側を開閉可能な第１扉と、
前記貯蔵庫本体に取り付けられて前記貯蔵室の他面側を開閉可能な第２扉と、
前記第１扉に対応して設けられ、駆動源を有して前記第１扉の施錠・解錠を行う第１ロック装置と、
前記第２扉に対応して設けられ、駆動源を有して前記第２扉の施錠・解錠を行う第２ロック装置と、
使用者の個人認証を行う認証装置と、
前記第１ロック装置および前記第２ロック装置を制御して前記第１扉および前記第２扉の施錠状態・解錠状態を切り替える施解錠切替部を有する制御装置と、を備え、
前記施解錠切替部は、
前記第１ロック装置によって前記第１扉を施錠状態としておき、前記認証装置によって使用者が認証された場合に、前記第１ロック装置によって前記第１扉を解錠状態とする第１扉認証時解錠処理と、
前記第１扉認証時解錠処理において前記第２扉が開かれている場合には、前記第１ロック装置によって前記第１扉が解錠状態となることを禁止する第１扉解錠禁止処理と、を実行するように構成されたことを特徴とする。
【０００７】
この構成の貯蔵庫は、異なる面に扉が設けられた、いわゆるパススルー式の貯蔵庫である。そして、この構成の貯蔵庫は、２つの扉に対してロック装置（いわゆる電子錠）が設けられるとともに、少なくとも一面側の扉である第１扉に対して認証装置が設けられた構成となっている。そして、この構成の貯蔵庫は、第１扉認証時解錠処理によって、第１扉を開くことができる使用者を登録された者のみに限定することで、所有者以外の者の使用を制限することができ、セキュリティ機能に優れたものとなる。また、第１扉は、第２扉が開けられている場合に第１ロック装置によって施錠されるため、両方の扉が開いた状態となることがなく、一方側の空間（非清潔空間）から他方側の空間（清潔空間）に空気が大量に流れ込んでしまうような事態を回避することができる。ちにみに、その第１ロック装置によって第１扉を施錠している間においては、認証装置が認証を受け付ける状態であっても、受け付けない状態であってもよい。なお、第２扉も、第１扉が開かれている場合に第２ロック装置によって施錠されるようにしてもよい。ただし、第２扉側は、当該貯蔵庫の所有者が主に使用することを想定しており、第１扉側を監視可能な構成として、第２扉側の使用者が第１扉側に注意を払って第２扉を開くようにしてもよい。
【０００８】
この構成における認証装置は、特に限定されず、生体認証装置や、カード，認証用コードを用いた認証装置等、種々のものを採用可能である。ただし、容易に施解錠を行うという観点からすれば、他の道具を用いない、生体認証装置を採用することが望ましい。また、この認証装置は、複数の扉の少なくとも一部のものを一括して施解錠させるものであるため、例えば、この認証装置を、扉ではなく、貯蔵庫本体に設けた構成とすることができる。この構成におけるロック装置は、ソレノイドやモータを用いて機械的に施錠を行う接触式のものであってもよく、電磁力によって施錠を行う非接触式のものであってもよい。
【０００９】
上記構成の貯蔵庫において、前記施解錠切替部は、前記第１扉が開かれている場合に、前記第２ロック装置によって前記第２扉を施錠状態とする第２扉施錠処理を実行するように構成することができる。
【００１０】
この構成の貯蔵庫は、第１扉側の使用者が認証装置によって認証され、その認証された使用者が第１扉を開けている場合に、第２扉が第２ロック装置によって自動で施錠されるため、第１扉が開いている場合に第２扉が開くことが防止され、非清潔空間から清潔空間に空気が大量に流れ込んでしまうような事態を確実に防止することができる。
【００１１】
また、上記構成の貯蔵庫において、前記第１扉側に設けられ、前記第１扉が施錠状態にあるか解錠状態にあるかを表す第１扉施解錠ランプと、前記第１扉側に設けられ、前記認証装置によって使用者の認証を行う状態にあるか否かを表す認証ランプと、を備えた構成とすることができる。
【００１２】
この構成の貯蔵庫において、第１扉施解錠ランプは、例えば、施錠状態にある場合に点灯し、解錠状態にある場合に消灯するようなものとすることができる。この第１扉施解錠ランプによって、第１扉側からの使用者が、認証装置によって認証されても、第２扉が開いているような場合に、第１扉施解錠ランプが点灯して、第１扉が施錠状態にあり、開くことができないことを容易に認識することができる。また、認証ランプは、例えば、認証装置によって認証を受け付けていて使用者の認証を行うことが可能な場合に点灯し、認証を受け付けていない状態あるいは認証を受け付けていても使用者の認証を行わない状態にある場合に消灯するようなものとすることができる。つまり、この認証ランプによって、第１扉側からの使用者が、例えば第２扉側が開けられていることにより、第１扉を開けることができないことを容易に認識することができる。また、先に述べた第２扉施錠処理を実行可能な構成とされている場合には、第２扉側に、第２扉が施錠状態にあるか解錠状態にあるかを表す第２扉施解錠ランプを設けることで、第２扉側からの使用者が、第２扉を開くことができるか否かを容易に認識することができる。
【００１３】
また、上記構成の貯蔵庫において、前記施解錠切替部は、前記第１扉が閉じられ、かつ、使用者の認証から一定時間経過した場合に、前記第１扉を前記第１ロック装置によって施錠する自動施錠処理を実行するように構成することができる。
【００１４】
この構成の貯蔵庫は、認証により解錠された扉を自動で施錠することができるため、よりセキュリティ機能に優れたものとなる。
【００１５】
また、上記構成の貯蔵庫において、前記施解錠切替部は、前記認証装置によって前記使用者とは異なる特定の者が認証された場合に、前記第１ロック装置を制御して前記第１扉を施錠状態とし、前記第１扉認証時解錠処理によって前記第１扉が解錠されることを禁止する特定者施錠処理を実行するように構成することができる。
【００１６】
この構成の貯蔵庫は、例えば、当該貯蔵庫の管理者（使用者とは異なる特定の者）の認証が行われた場合に、第１扉認証時解錠処理を受け付けないようにすること、詳しく言えば、認証されても解錠されない状態、あるいは、認証を受け付けない状態とすることができる。つまり、この構成の貯蔵庫は、管理者以外の解錠を禁止することができ、例えば、当該貯蔵庫を開閉することのない時間帯におけるセキュリティの強化を図ることができる。
【００１７】
また、上記構成の貯蔵庫において、前記施解錠切替部は、前記認証装置によって前記使用者とは異なる特定の者が認証された場合に、前記第１ロック装置を制御して前記第１扉を解錠状態とし、前記自動施錠処理によって前記第１扉が施錠されることを禁止する特定者解錠処理を実行するように構成することができる。
【００１８】
この構成の貯蔵庫は、例えば、当該貯蔵庫の管理者（使用者とは異なる特定の者）の認証が行われた場合に、認証によるロック機能が働かない状態とすることができる。この構成の貯蔵庫によれば、例えば、大量に貯蔵庫への出し入れを行う場合や、当該貯蔵庫のメンテナンス等において、扉を開くたびに認証を行う必要がなく、効率的に作業を行うことが可能となる。
【００１９】
また、上記構成の貯蔵庫において、現在時刻を計時する時刻計時部を備え、前記施解錠切替部は、設定された時刻の間、前記認証装置によって使用者が認証された場合であっても前記第１扉認証時解錠処理によって前記第１扉が解錠状態となることを禁止する設定時刻解錠禁止処理を実行するように構成することができる。
【００２０】
この構成の貯蔵庫は、設定された時間帯において、第１扉認証時解錠処理を受け付けないようにすること、詳しく言えば、認証されても解錠されない状態、あるいは、認証を受け付けない状態とすることができる。つまり、この構成の貯蔵庫は、設定された時間は、第１扉の解錠を禁止することができるため、当該貯蔵庫を開閉することのない時間帯におけるセキュリティの強化を図ることができる。
【００２１】
また、上記構成の貯蔵庫において、前記認証装置は、当該貯蔵庫における前記一面側に設けられた第１認証装置であり、当該貯蔵庫は、当該貯蔵庫における前記他面側に設けられた第２認証装置を備え、前記施解錠切替部は、前記第２ロック装置によって前記第２扉を施錠状態としておき、前記第２認証装置によって使用者が認証された場合に、前記第２ロック装置によって前記第２扉を解錠状態とする第２扉認証時解錠処理と、前記第２扉認証時解錠処理において、前記第１扉が開かれている場合には、前記第２ロック装置によって前記第２扉が解錠状態とすることを禁止する第２扉解錠禁止処理と、を実行するように構成することができる。
【００２２】
この構成の貯蔵庫は、第２扉側にも認証装置が設けられており、両方の扉を開くことができる使用者を登録された者のみに限定することで、よりセキュリティ機能に優れたものとなる。なお、この第２認証装置に対する第２ロック装置の制御は、上述した、第１認証装置に対する第１ロック装置の制御を、同様に採用することができる。
【００２３】
また、上記構成の貯蔵庫において、音によって周囲に対して報知を行う報知装置を備え、前記制御装置は、前記認証装置によって使用者が認証された場合に、前記報知装置によって使用者の認証が行われたことを報知する報知制御部を有する構成とすることができる。
【００２４】
この構成の貯蔵庫によれば、認証装置によって認証されたか否かを、使用者および周囲の者が容易に認識することができる。なお、この構成における報知装置は、例えば、ブザー等の電子音で知らせるものであってもよく、音声によって知らせるものであってもよい
【００２５】
また、上記構成の貯蔵庫において、前記報知制御部は、前記認証装置によって使用者が認証された後、前記第１ロック装置によって前記第１扉を解錠状態としている間報知を行う構成とすることができる。
【００２６】
この構成の貯蔵庫は、使用者および周囲の者が、第１扉が解錠状態であることを容易に認識することができ、例えば、使用者が、第１扉が開閉可能か否かを認識することで、再び施錠状態となった第１扉を開けようとして、大きな力が第１扉に加わるような事態を回避することができる。
【００２７】
また、上記構成の貯蔵庫において、前記報知制御部は、前記第１扉が解錠状態とされた後に前記第１扉が開状態とされ、前記第１扉が開状態のまま一定時間が経過した場合に報知を行うように構成することができる。
【００２８】
第１扉が閉状態となっていなければ、例えば、先に述べた自動施錠処理を実行可能とされていても、第１ロック装置によって施錠することができない。この構成の貯蔵庫によれば、周囲に第１扉が開状態のままであることが報知されるため、第１扉が開状態のまま放置されるような事態を回避することができる。なお、この構成における報知は、一定時間経過後、継続して行われてもよく、一定時間間隔で行われてもよい。
【００２９】
また、上記構成の貯蔵庫において、前記制御装置は、前記認証装置によって使用者が認証された場合に、その認証された使用者による当該貯蔵庫に対する操作に係る情報である操作情報を記録する記録部と、前記記録部に記録された前記操作情報を表示装置に出力する操作情報出力部と、を有する構成とすることができる。
【００３０】
この構成の貯蔵庫は、認証装置によって識別された使用者とその使用者が当該貯蔵庫に行った操作（例えば、扉を開けた時刻、扉を開けていた時間など）を記録し、いつでも閲覧することが可能である。したがって、この構成の貯蔵庫は、所有者でない者にも扉を開閉させるような場合に有効である。なお、この構成における表示装置は、貯蔵庫自体が備えているものであってもよく、貯蔵庫と配線や通信等によって接続された端末が備える表示装置であってもよい。
【００３１】
また、上記構成の貯蔵庫において、当該貯蔵庫は、外部の端末と通信によって接続されており、前記端末から特定の操作を入力可能とされるともに、前記端末に前記操作情報を送信可能とされた構成とすることができる。
【００３２】
この構成の貯蔵庫は、外部の端末によって管理すること、例えば、貯蔵庫の温度管理や庫内の監視等が可能な構成となっている。つまり、この構成の貯蔵庫は、同様に外部の端末から管理可能とされた機器と合わせて、統括して管理される対象となり、業務用の貯蔵庫として有効なものとなっている。
【００３３】
また、上記構成の貯蔵庫において、現在時刻を計時する時刻計時部を備え、前記施解錠切替部は、設定された時刻の間、前記第１ロック装置および前記第２ロック装置をオフ状態として前記第１扉および前記第２扉を解錠状態とする設定時刻解錠処理を実行するように構成することができる。
【００３４】
この構成の貯蔵庫は、設定された時間帯に、認証によるロック機能が働かない状態とすることができる。この構成の貯蔵庫によれば、例えば、日常の定期的なメンテナンス等において、第１扉を開くたびに認証を行う必要がなく、効率的に作業を行うことが可能となる。
【００３５】
また、上記構成の貯蔵庫において、当該貯蔵庫の主電源が入れられた状態で、前記第１ロック装置および前記第２ロック装置をオフ状態として前記第１扉および前記第２扉を解錠状態とするためのロック機能オフスイッチを備えた構成とすることができる。
【００３６】
この構成の貯蔵庫は、ロック機能オフスイッチによって、容易に、認証によるロック機能が働かない状態とすることができる。この構成の貯蔵庫によれば、例えば、大量に貯蔵庫への出し入れを行う場合や、当該貯蔵庫のメンテナンス等において、扉を開くたびに認証を行う必要がなく、効率的に作業を行うことが可能となる。なお、セキュリティ強化の観点からすれば、このロック機能オフスイッチは、通常時において所有者以外の者が操作できないような箇所に設けることが望ましい。例えば、第２扉側を所有者が使用するような場合には、その第２扉側に設けることができる。
【００３７】
また、上記構成の貯蔵庫において、警報処理を行う警報装置を備え、前記制御装置は、前記第１ロック装置によって施錠状態にある前記第１扉が開かれた場合、前記第２ロック装置によって施錠状態にある前記第２扉が開かれた場合に、前記警報装置を作動させるように構成することができる。
【００３８】
この構成の貯蔵庫における警報装置は、例えば、音による警報を鳴らしたり、通信によって接続された端末や警備会社等に警告を送信したりするものとすることができる。この構成の貯蔵庫によれば、セキュリティの強化を図ることができる。
【００３９】
また、上記構成の貯蔵庫において、前記認証装置は、使用者の指紋を読み取ってその使用者の個人認証を行う指紋認証装置とすることができる。
【００４０】
この構成の貯蔵庫は、認証装置が、指紋による生体認証装置に限定されており、使用者は、認証を得るために何も携帯しておく必要がなく、認証を容易に行うことができる。
【発明の効果】
【００４１】
本発明によれば、セキュリティを強化するとともに、両面扉が同時に開くことを防止可能なパススルー式の貯蔵庫を提供することができる。
【図面の簡単な説明】
【００４２】
【図１】本発明の第１実施例の貯蔵庫である冷却庫が設置された環境を示す斜視図である。
【図２】本発明の第１実施例の貯蔵庫である冷蔵庫の側面図である。
【図３】本発明の第１実施例の貯蔵庫である冷蔵庫の正面図である。
【図４】本発明の第１実施例の貯蔵庫である冷蔵庫の背面図である。
【図５】図４に示すロック装置の断面図である。
【図６】図３に示す冷蔵庫の正面パネルを外した状態を示す図である。
【図７】図４に示す指紋認証装置を拡大して示す図である。
【図８】図６に示す電装箱に収容された制御装置の機能構成を表すブロック図である。
【図９】使用者によってドアの開閉が行われる場合のタイミングチャートである。
【図１０】図８に示す制御装置において実行される施解錠切替プログラムのフローチャートである。
【図１１】正面側および背面側に設けられたランプの表示状態を示す図である。
【図１２】記録部に記録された操作情報を閲覧した場合の画面の一例を示す図である。
【図１３】第２実施例の貯蔵庫である冷蔵庫の正面図である。
【発明を実施するための形態】
【００４３】
以下、本発明を実施するための形態として、本発明のいくつかの実施例を、図を参照しつつ詳しく説明する。なお、本発明は、下記の実施例に限定されるものではなく、当業者の知識に基づいて種々の変更、改良を施した種々の態様で実施することができる。
【実施例１】
【００４４】
本発明の第１実施例である貯蔵庫としての冷蔵庫１０が設置された環境を、図１に示している。本実施例の冷蔵庫１０は、水平方向における両面側にドア（扉）１１，１２が設けられた、いわゆるパススルー式の冷蔵庫である。そして、本冷蔵庫１０は、２つの部屋Ｒ１，Ｒ２に跨る形で設置されており、正面ドア１１が、第１の部屋Ｒ１に面するとともに、背面ドア１２が、第２の部屋Ｒ２に面している。なお、本実施例においては、第１の部屋Ｒ１は、除菌等の空気の清浄化が行われている清潔空間であり、それに対して、第２の部屋Ｒ２は、空気の清浄化が行われていない非清潔空間となっている。
【００４５】
本冷蔵庫１０は、図２に示すように、水平方向における両面に開口する複数の貯蔵室１３ａ（図５参照）を有する箱状の冷蔵庫本体（貯蔵庫本体）１３と、冷蔵庫本体１３に対して回動可能に取り付けられて貯蔵室１３ａの一面側（正面側）を開閉可能な４枚の正面ドア（扉）１１と、冷蔵庫本体１３に対して回動可能に取り付けられて貯蔵室１３ａの他面側（背面側）を開閉可能な４枚の背面ドア（扉）１２と、を備えている。４枚の正面ドア１１は、図３に示すように、上下方向に２組配列された左右一対の扉からなる。また、４枚の背面ドア１２も、図４に示すように、上下方向に２組配列された左右一対の扉からなる。
【００４６】
なお、以下の説明においては、図２における右側を本冷蔵庫１０の正面側（前方側）と、左側を背面側（後方側）と、それぞれ呼ぶこととする。また、本冷蔵庫１０の正面側からの視点での左右方向、つまり、図３における左右方向を、本冷蔵庫１０の左右方向とする。また、以下の説明において、４枚の正面ドア１１を区別する必要がある場合には、左上側のドア１１にＵＬを、右上側のドア１１にＵＲを、左下側のドア１１にＤＬを、左下側のドア１１にＤＲを、それぞれ付すこととする。さらに、それら４枚の正面ドア１１ＵＲ，１１ＵＬ，１１ＤＲ，１１ＤＬの背面側に位置する背面ドア１２、および、各ドア１１，１２に対して設けられた物には、それら正面ドア１１との対応関係が分かるように、同じ符号を付すこととする。
【００４７】
４枚の正面ドア１１および背面ドア１２は、図１に示すように、ヒンジ部材１４を介して冷蔵庫本体１３に対して回動可能に取り付けられている。これにより、ドア１１，１２は、貯蔵室１３ａの開口を閉じる閉状態と開口を開放する開状態との間で回動可能となっている。つまり、貯蔵室１３ａはドア１１，１２によって開閉可能な構成となっている。また、冷蔵庫本体１３は、図３および図４に示すように、上下方向に延びる仕切部材１５（センターピラー）と水平方向に延びる仕切部材１６とによって４つに仕切られており、４つに仕切られた各貯蔵室を覆う形で各正面ドア１１ＵＬ，１１ＵＲ，１１ＤＬ，１１ＤＲおよび各背面ドア１２ＵＬ，１２ＵＲ，１２ＤＬ，１２ＤＲが配されている。
【００４８】
冷蔵庫１０は、４枚の正面ドア１１の各々に対応して、４つのロック装置２０を備えるとともに、４枚の背面ドア１２の各々に対応して、さらに４つのロック装置２１を備えている。正面ドア１１に対応する正面側ロック装置２０は、図３に示すように、上側のドア１１ＵＬ，１１ＵＲに対するロック装置２０ＵＬ，２０ＵＲが、ドア１２ＵＬ，１２ＵＲの上側に設けられ、下側のドア１１ＤＬ，１１ＤＲに対するロック装置２０ＤＬ，２０ＤＲが、ドア１１ＤＬ，１１ＤＲの下側に設けられている。また、図４に示すように、背面ドア１２に対応する背面側ロック装置２１も、正面側と同様に、上側のドア１２ＵＬ，１２ＵＲに対するロック装置２０ＵＬ，２０ＵＲが、ドア１２ＵＬ，１２ＵＲの上側に設けられ、下側のドア１２ＤＬ，１２ＤＲに対するロック装置２０ＤＬ，２０ＤＲが、ドア１２ＤＬ，１２ＤＲの下側に設けられている。
【００４９】
合計８つの各ロック装置２０、２１は、同じ構成のものであり、非接触方式の電磁ロック（電子錠）である。図５に示す背面側ロック装置２１を代表して説明するが、ロック装置２１は、電磁石（駆動源）を有して冷蔵庫本体１３に固定される本体側部材２２と、永久磁石を有してドア１２に固定されるドア側部材２３と、からなる。このロック装置２１は、本体側部材２２の電磁石に通電が行われることで電磁力を発生させ、その電磁力によってドア側部材２３の永久磁石に吸着させる方向の力を生じさせる。つまり、これらロック装置２０、２１は、通電状態（ＯＮ状態）とされることで、対応するドア１１，１２を施錠状態とし、非通電状態（ＯＦＦ状態）とされることで、対応するドア１１，１２を解錠状態とするように構成される。
【００５０】
また、各ロック装置２０，２１は、非接触方式のものであるため、ドア１１，１２が開かれた状態で通電状態とされれば、ドア１１，１２を閉じた瞬間に施錠状態とすることができる。また、各ロック装置２０，２１は、本体側部材２２とドア側部材２３とが互いに近接していることを検知するセンサ２４を有しており、そのセンサ２４が、対応するドア１１，１２が開状態にあるか閉状態にあるかを検知するドア開閉センサとして用いられるようになっている。また、ドア側部材２３は、本冷蔵庫１０の意匠を損なわないよう、カバー２５によって覆われている。
【００５１】
また、冷蔵庫１０は、冷蔵庫本体１３の上方に配された機械室３０を備えている。その機械室３０は、正面側は正面パネル３１によって、左右方向は側面パネル３２によって、背面側は背面パネル３３によって覆われている。図６には、正面パネル３１を外した状態を示している。機械室３０には、図６に示すように、機能部品としての冷却装置（冷凍ユニット）３４の一部や電装箱３５等が収容されている。冷却装置３４は、凝縮器，凝縮器ファン，圧縮機が機械室３０内に収容されており、それらが、冷蔵庫本体１３内における貯蔵室の上方に設けられた冷却器室内の冷却器と循環接続されている。そして、冷却装置３４が駆動することで冷却器が冷気を生成し、その冷却器で生成された冷気は、冷却器室に配置された冷却ファンによって貯蔵室に送られる。
【００５２】
また、機械室３０には、図３および図６に示すように、当該冷蔵庫に係る操作を行うためのオペレーションボックス（操作盤）３６が設けられている。オペレーションボックス３６は、機械室３０の右側端部に配され、正面パネル３１の裏側に配されている。そして、使用者は、正面パネル３１に設けられた透明部材（ガラスなど）を通じて前方から表示部を視認可能となっている。また、使用者（所有者）は、正面パネル３１を開くことで、複数の操作ボタンで構成される操作部３７やオペレーションボックス３６に隣接する後述するロック機能オフスイッチ３８（図７参照）等を操作することが可能となっている。作業者は、操作部３７を操作することで、本冷蔵庫１０の運転や各種設定（庫内設定温度の変更など）を行うことができる。  
【００５３】
また、機械室３０には、指紋認証装置４０が設けられている。詳しく言えば、指紋認証装置４０は、使用者が接触させた指の指紋を読み取るセンサ部（指紋読取部）４１を主体とするものであり、図４に示すように、センサ部４１が背面パネル３３から露出する状態で、機械室３０に設けられている。なお、指紋認証装置４０は、センサ部４１が読み取った使用者の指紋によってその使用者の個人認証を行うものであり、後に詳しく説明するが、上述した背面側ロック装置２１による背面ドア１２の施錠状態・解錠状態との切り替えに用いられる。また、図７に示すように、センサ部４１の左側には、背面ドア１２が施錠状態にあるか解錠状態にあるかを表す背面ドア施解錠ランプ４２と、センサ部４１の右側には、指紋認証を受け付けているか否かを表す指紋認証ランプ４３と、が設けられている。なお、背面ドア施解錠ランプ４２と指紋認証ランプ４３とは、互いに異なる色のものとされており、使用者が認識しやすいようになっている。一方、正面側には、正面パネル３１から正面側に露出する状態で、正面ドア１１が施錠状態にあるか解錠状態にあるかを表す正面ドア施解錠ランプ４４が設けられている。
【００５４】
電装箱３５には、当該冷蔵庫１０の制御を司る制御装置５０（図８参照）が収容されている。制御装置５０は、ＣＰＵ，ＲＯＭ，ＲＡＭを有するコンピュータを主体とするものであり、冷却装置３４の圧縮機や冷却ファン、ロック装置２０，２１、および指紋認証装置４０等が接続されており、ＲＯＭ内に記憶された種々のプログラムを実行することによって、それらの接続された機器が制御されるようになっている。また、制御装置５０には、音声によって周囲に報知を行う報知装置５１も接続されている。さらに、制御装置５０には、図１および図３に示すように、本冷蔵庫１０に関する情報を表示したり本冷蔵庫１０の運転や各種設定を行ったりすることが可能な外部端末５２に接続されている。
【００５５】
本冷蔵庫１０は、図１に示すように、例えば、当該冷蔵庫１０の周囲に存在する冷蔵庫５３や各種の機器類５４と合わせて、別室Ｒ３に設置された統括管理装置６０に無線通信等によって接続されており、その統括管理装置６０からの操作を受け付けることや、その統括管理装置６０に情報やデータ等を送信可能な構成となっている。
【００５６】
なお、以上のような構成から、本冷蔵庫１０においては、背面ドア１２が第１扉に、正面ドア１１が第２扉に、それぞれ相当するとともに、背面側ロック装置２１が第１ロック装置に、正面側ロック装置２０が第２ロック装置に、それぞれ相当するものとなっている。
【００５７】
＜施解錠切替制御＞
以下に、制御装置５０によって実行されるドア１１，１２の施錠状態・解錠状態をロック装置２０，２１によって切り替える制御について、図９のタイミングチャートを参照しつつ、詳しく説明する。まず、制御装置５０は、指紋認証装置４０によって読み取った指紋情報を記憶部７０に記憶できるようになっており、定められた使用者をその指紋情報とともに登録しておくことが可能となっている。そして、制御装置５０は、通常時において施錠状態とした背面ドア１２を、指紋認証装置４０によって使用者の認証が行われた場合に解錠する認証時解錠処理と、その認証時解錠処理によって解錠された背面ドア１２を自動で施錠する自動施錠処理とを、実行するようになっている。
【００５８】
(i)背面ドア認証時解錠処理（第１扉認証時解錠処理）
本冷蔵庫１０は、正面ドア１１は、主に本冷蔵庫１０の所有者が開閉を行うのに対して、背面ドア１２は、所有者以外の者が開閉を行う場合がある。そこで、本冷蔵庫１０は、セキュリティを強化する目的で、通常時（図９におけるｔ０まで，ｔ７〜ｔ８，ｔ９以降）においては、すべての背面側ロック装置２１をＯＮ状態（通電状態）として、すべての背面ドア１２を施錠状態としておくようになっている。一方、正面ドア１１は、通常時においては、すべての正面側ロック装置２０をＯＦＦ状態（非通電状態）として、解錠状態としている。ただし、制御装置５０は、すべての背面ドア１２を施錠状態とする必要のない場合には、少なくとも１つの特定の背面ドア１２に対応する背面側ロック装置２１のみをＯＮ状態として、通常時において、その特定の背面ドア１２のみを施錠状態とするように設定することもできる。
【００５９】
そして、通常時において施錠状態とされている背面ドア１２は、指紋認証装置４０によって記憶部７０に登録された使用者の認証が行われた場合（図９におけるｔ０）に、背面側ロック装置２１がＯＦＦ錠とされて解錠状態とされる。なお、複数の背面ドア１２が指紋認証により解錠されるような場合には、施錠状態とされているすべての背面ドア１２が解錠状態となるように設定することもでき、また、施錠状態とされている複数の背面ドア１２のうち特定のもののみが解錠状態となるように設定することも可能である。さらに、本冷蔵庫１０においては、登録された使用者ごとに、解錠される背面ドア１２を設定可能とされており、指紋認証装置４０によって読み取った指紋情報に応じて、設定された背面ドア１２に対応する背面側ロック装置２１をＯＦＦ状態とするようになっている。
【００６０】
(ii)自動施錠処理
上記の認証時解錠処理によって解錠状態とされた背面ドア１２は、それら解錠状態とされた背面ドア１２が閉状態とされ、かつ、認証から一定時間経過した場合に、施錠状態とされるようになっている。具体的には、図９に示すように、一定時間（認証許容時間）Ｔ０を経過すると（図９におけるｔ６）、解錠状態とされた背面ドア１２に対応する背面側ロック装置２１が通電状態とされる。つまり、その背面ドア１２が閉状態であれば、即時、施錠状態とされる。一方、背面ドア１２が開状態である場合には、背面側ロック装置２１は通電状態とされているため、使用者によって背面ドア１２が閉じられた瞬間（図９におけるｔ７）に、施錠状態となるのである。
【００６１】
以上のように、本冷蔵庫１０は、背面ドア１２が、定められた使用者のみが、複数の背面ドア１２のすべて、あるいは、特定の背面ドア１２の解錠を、鍵を用いることなく容易に行うことができる。また、背面ドア認証時解錠処理によって、通常時は背面ドア１２を施錠状態としておき、必要な場合に必要な背面ドア１２だけを解錠させることができるとともに、自動施錠処理によって、自動で解錠した背面ドア１２の施錠が行われるため、セキュリティ機能に優れたものとなる。
【００６２】
(iii)正面ドア施錠処理（第２扉施錠処理）
なお、先に説明したように、本冷蔵庫１０は、正面側が清潔空間である第１の部屋Ｒ１に面し、背面側が非清潔空間である第２の部屋Ｒ２に面している。そのため、上述した平面ドア認証時解錠処理後に背面ドア１２が開けられている状態で、正面ドア１１を開けてしまうと、非清潔空間の空気が清潔空間に大量に流れ込んでしまう虞がある。そこで、本冷蔵庫１０においては、背面ドア１２が開かれている場合（図９におけるｔ１〜ｔ２，ｔ５〜ｔ７）には、すべての正面側ロック装置２０によってすべての正面ドア１１を施錠状態とするようになっている。
【００６３】
(iv)背面ドア解錠禁止処理（第１扉解錠禁止処理）
また、同様に、正面ドア１１が開かれている場合には、すべての背面側ロック装置２１によってすべての背面ドア１２が解錠状態となることが禁止されるようになっている。具体的には、例えば、背面ドア認証時解錠処理によって背面ドア１２が解錠されており、背面ドア１２が開かれていない状態で、正面ドア１１が開かれた場合（図９におけるｔ３〜ｔ４）には、すべての背面側ロック装置２１がＯＦＦ状態からＯＮ状態に変更され、すべての背面ドア１２を施錠状態とするのである。また、例えば、指紋認証が行われておらず背面ドア１２が施錠されている状態で、正面ドア１１が開かれた場合（図９におけるｔ８〜ｔ９）には、指紋認証装置４０が認証を受け付けない状態（指紋を読み取らない状態）とされる。なお、指紋認証装置４０が指紋を読み取って認証が行われた場合であっても、背面側ロック装置２１がＯＦＦ状態とされないようにしてもよい。この処理により、正面ドア１１が開かれている場合に、背面ドア１２が開かれることはなく、非清潔空間の空気が清潔空間に大量に流れ込んでしまうことを防止することができる。
【００６４】
なお、上記の背面ドア認証時解錠処理，自動施錠処理，背面ドア解錠禁止処理および正面ドア施錠処理は、例えば、図１０にフローチャートを示す施解錠切替プログラムが、所定の時間間隔Δｔごとに実行されることにより行われる。このプログラムでは、まず、ステップ１（以下「Ｓ１」と略す場合がある。他のステップも同様である。）において、正面ドア１１が開かれている否かの判定が行われ、正面ドア１１が開かれている場合には、Ｓ２において、正面側ロック装置２０をＯＦＦ状態、背面側ロック装置２１をＯＮ状態として背面ドア１２を施錠状態とする。
【００６５】
Ｓ１において正面ドア１１が開かれていない場合には、Ｓ３において、指紋認証装置４０によって指紋の読み取りが行われたか否かの判定が行われ、読み取りが行われた場合には、Ｓ４において、記憶部７０に登録された指紋情報と一致するか否かが判定される。Ｓ３において指紋の読み取りが行われていないと判定された場合、あるいは、Ｓ４において登録された指紋情報と一致しない場合には、Ｓ２において、正面側ロック装置２０をＯＦＦ状態、背面側ロック装置２１をＯＮ状態として、正面ドア１１を解錠状態、背面ドア１２を施錠状態とする。
【００６６】
Ｓ４において、指紋認証装置４０によって読み取られた指紋が登録された指紋情報と一致した場合には、Ｓ５において認証時間ｔの加算が行われ、Ｓ６において、認証時間ｔが認証許容時間Ｔ０以上か否かの判定が行われる。認証許容時間Ｔ０以上となるまでは、Ｓ７において、背面ドア１２が開いているか否かの判定が行われ、背面ドア１２が開かれている場合には、Ｓ８において、正面側ロック装置２０をＯＮ状態、背面側ロック装置２１をＯＦＦ状態として、正面ドア１１を施錠状態、背面ドア１２を解錠状態とする。一方、Ｓ７において、背面ドア１２が開かれていない場合には、Ｓ９において、正面側ロック装置２０と背面側ロック装置２１との両者をＯＦＦ状態として、正面ドア１１および背面ドア１２を解錠状態とする。
【００６７】
そして、Ｓ６において認証時間ｔが認証許容時間Ｔ０以上となった場合には、Ｓ１０において、背面ドア１２が開いているか否かの判定が行われ、背面ドア１２が開かれている場合には、Ｓ１１において、正面側ロック装置２０がＯＮ状態されて、正面ドア１１が開かれることを禁止するとともに、背面側ロック装置２１もＯＮ状態（通電状態）として、背面ドア１２が閉じられて施錠状態とするのを待機している状態となっている。一方、Ｓ１０において、背面ドア１２が閉じられている場合には、Ｓ１２において、認証時間ｔがリセットされるとともに、指紋認証装置４０による指紋認証の受付が開始され、続く、Ｓ２において、正面側ロック装置２０をＯＦＦ状態、背面側ロック装置２１をＯＮ状態として、正面ドア１１を解錠状態、背面ドア１２を施錠状態とする。以上で、１回のプログラムの実行が終了する。
【００６８】
(v)特定者施錠処理
また、本冷蔵庫１０は、上述した使用者とは別の特定の者、例えば当該冷蔵庫１０の管理者の指紋情報を登録できるようになっている。本冷蔵庫１０においては、その特定の者が認証された場合には、４つの背面側ロック装置２１のすべてをＯＮ状態として、すべての背面ドア１２を施錠状態とするようになっている。そして、その状態においては、指紋認証装置４０において、特定の者以外の者（登録されている使用者も含む）は認証されないようになっている。つまり、背面ドア認証時解錠処理による背面ドア１２の解錠が禁止されるようになっているのである。したがって、本冷蔵庫１０によれば、例えば、緊急時等にすべての背面ドア１２を施錠状態として、限られた者のみしか解錠できないようにすることができるため、よりセキュリティが強化されたものとなっている。
【００６９】
(vi)設定時刻解錠禁止処理
また、本冷蔵庫１０は、現在時刻を計時する時刻計時部としてのタイマ７１を備えている。制御装置５０は、タイマ７１で計時される時刻が、設定された時刻の間、４つの背面側ロック装置２１のすべてをＯＮ状態として、すべての背面ドア１２を施錠状態とすることができるようになっている。具体的には、上述した施解錠切替プログラムの実行が停止されることで認証時解錠処理による背面ドア１２の解錠が禁止され、登録されていない者だけでなく、登録された使用者による背面ドア１２の解錠も禁止されるようになっているのである。したがって、本冷蔵庫１０は、設定された時間帯、例えば、夜間等の所有者が不在となるような時間帯におけるセキュリティが強化されている。
【００７０】
(vii)設定時刻解錠処理
一方で、制御装置５０は、タイマ７１で計時される時刻が、設定された時刻の間、４つの背面側ロック装置２１のすべてをＯＦＦ状態として、すべての背面ドア１２を解錠状態とすることができるようにもなっている。具体的には、制御装置５０は、指紋認証装置４０による認証を受け付けない状態とするとともに、４つの背面側ロック装置２１をすべてＯＦＦ状態とするのである。これにより、例えば、定時にメンテナンスを行うような場合等において、背面ドア１２を開こうとするたびに指紋認証装置４０による認証を得る必要がなく、上記のような作業を効率的に行うことができる。
【００７１】
＜ロック機能オフスイッチ＞
また、本冷蔵庫１０は、前述したロック機能オフスイッチ３８を備えている。このロック機能オフスイッチ３８は、本冷蔵庫１０の主電源が入れられた状態においてＯＦＦ状態とされると、制御装置５０は、指紋認証装置４０による認証を受け付けない状態とするとともに、４つの背面側ロック装置２１をすべてＯＦＦ状態とするのである。したがって、本冷蔵庫１０は、上述した設定時刻解錠処理とは別に、すべての背面ドア１２を解錠状態とすることができ、例えば、大量に出し入れを行う場合や緊急時のメンテナンスの場合等において、背面ドア１２を開こうとするたびに指紋認証装置４０による認証を得る必要がなく、上記のような作業を効率的に行うことができる。
【００７２】
ちなみに、このロック機能オフスイッチ３８は、ＯＦＦ状態とされると、背面ドア１２が解錠状態となってしまうため、機械室３０内に設けるとともに、カバーが取り付けられて、所有者以外の者が操作できないようになっている。また、本実施例の冷蔵庫１０においては、ロック機能オフスイッチ３８を、主に所有者が使用する正面側の第１の部屋Ｒ１内に位置する箇所に設けることもできる。また、本冷蔵庫１０においては、通電されない状態では背面ドア１２が解錠状態となってしまうため、主電源も同様に、所有者以外の者が操作できないようにカバーが取り付けられるとともに、電源コードも抜かれることがないように、カバーが取り付けられている。
【００７３】
＜報知処理＞
また、制御装置５０は、正面側および背面側の各々において、周囲の者に、本冷蔵庫１０が置かれている状況を知らせる処理である報知処理が行われる。具体的には、報知処理においては、報知装置５１を用いて音により周囲に報知を行うとともに、前述したランプ４２，４３，４４を用いて本冷蔵庫１０の現況を表すようになっている。図１１には、それらランプ４２，４３，４４の点灯状態の一例を示している。なお、これらランプ４２，４３，４４の点灯・消灯の方法は、以下に説明する方法に限定されない。報知処理について、その図１１を参照しつつ、図９に示すタイミングチャートに沿って説明することとする。
【００７４】
まず、両側のドア１１，１２が閉じられており、指紋認証装置４０に対して指紋認証が行われていない場合（図９におけるｔ０まで）について説明する。その場合、図１１のＡに示すように、正面ドア１１は解錠されており、正面ドア施解錠ランプ４４は、消灯状態４４ａとなっている。一方、背面ドア１２は施錠されるとともに、指紋認証装置４０による指紋の受付を行っているため、背面ドア施解錠ランプ４２が点灯状態４２ｂ、指紋認証ランプ４３も点灯状態４３ｂとされる。
【００７５】
次に、指紋認証装置４０によって使用者の指紋が認証されると（図９におけるｔ０）、報知装置５１によって、例えば「指紋が認証されました」のような音声による報知が行われる。そして、使用者の指紋が認証された場合（図９におけるｔ０〜ｔ１）には、図１１のＢに示すように、背面ドア施解錠ランプ４２が消灯状態４２ａとされるとともに、指紋認証ランプ４３が点滅状態４３ｃとされ、解錠状態となって背面ドア１２を開けることが可能であることを、使用者に認識させるようになっている。一方、背面ドア１２が開けられていない状態では、正面ドア１１も解錠状態であるため、正面ドア施解錠ランプ４４は、消灯状態４４ａである。そして、解錠された背面ドア１２が開かれると、正面ドア１１が施錠状態とされるため、図１１のＣに示すように、正面ドア施解錠ランプ４４が、点灯状態４４ｂとされる。
【００７６】
また、認証時間ｔが認証許容時間Ｔ０を超えるまでの間において、背面ドア１２が閉じられている状態で正面ドア１１が開かれると（図９におけるｔ３〜ｔ４）、図１１のＤに示すように、指紋認証ランプ４３が点滅状態４３ｃのまま、背面ドア施解錠ランプ４２が点灯状態４２ｂとされる。
【００７７】
また、制御装置５０は、指紋認証が行われた後、自動施錠処理が開始されるまでの間（図９におけるｔ０〜ｔ６）、報知装置５１によって音楽を鳴らし、認証許容時間Ｔ０内であることを使用者に知らせるようになっている。そして、図９に示すように、認証時間ｔが認証許容時間Ｔ０になった時点で背面ドア１２が開かれた状態のままであると、報知装置５１によって、例えば「ドアが開いています」のような音声による報知を行うようになっている。その後も背面ドア１２が開状態のままである場合には、背面ドア１２が閉じられるまでの間、継続して、あるいは、一定時間間隔をおいて、同様の報知による注意が行われる。また、認証時間ｔが認証許容時間Ｔ０を超えると（図９におけるｔ６〜ｔ７）、認証時間ｔが認証許容時間Ｔ０を超えたことを使用者に認識させるために、図１１のＥに示すように、指紋認証ランプ４３が消灯状態４３ａとされる。
【００７８】
そして、背面ドア１２が閉じられると、３つのランプ４２，４３，４４は、図１１のＡの状態に戻される。なお、背面側が認証時間外である場合に正面ドア１１が開かれると、背面ドア１２が施錠状態とされるとともに、指紋認証装置４０による認証を受け付けない状態となる。その場合には、図１１のＦに示すように、背面ドア施解錠ランプ４２が消灯状態４２ａ、指紋認証ランプ４３も消灯状態４３ａとされる。
【００７９】
＜警報処理＞
また、制御装置５０は、背面側ロック装置２１がＯＮ状態とされており背面ドア１２が施錠状態であるにも関わらず、ドア開閉センサ２４によって背面ドア１２が開状態となった場合には、警報処理を行うようになっている。具体的には、報知装置５１によって、警告音を鳴らすとともに、統括管理装置６０や外部で接続されている携帯端末に警告情報を送信し、さらには、契約している警備会社等がある場合には、その警備会社にも警告情報を送信するのである。
【００８０】
＜操作情報の記録・閲覧＞
また、制御装置５０は、記録部７２を有しており、その記録部７２にログを残すようになっている。具体的には、制御装置５０は、指紋認証装置４０によって指紋の読み取りが行われた場合に、その時刻と認証の有無を記録する。そして、使用者が認証された場合には、その使用者の本冷蔵庫１０に対する操作に係る情報である操作情報を記録する。その操作情報は、例えば、開かれた背面ドア１２と、その背面ドア１２を開いた時刻と閉じた時刻等が、記録される。また、制御装置５０は、その記録部７２に記録された情報を外部端末５２の表示装置５２ａ等に出力する操作情報出力部７３を有しており、図１１に示すように、外部端末５２や統括管理装置６０等で閲覧することが可能となっている。したがって、所有者以外の者の使用履歴を確認することができるとともに、本冷蔵庫１０の温度管理等に利用することもでき、このログを取る機能は、本冷蔵庫１０のように、所有者以外の者が使用する場合のあるものに有効である。
【００８１】
＜制御装置の機能構成＞
以上のように構成された制御装置５０は、図５にブロック図で示すような機能構成のものとされ、種々の機能部を有するとなっている。詳しく言えば、第１ロック装置としての背面側ロック装置２１および第２ロック装置としての背面側ロック装置２０を制御して第１扉としての背面ドア１２および第２扉としての正面ドア１１の施錠状態・解錠状態を切り替える施解錠切替部８０を有している。なお、その施解錠切替部８０は、上述した背面ドア認証時解錠処理を実行する背面ドア認証時解錠処理部８１と、自動施錠処理を実行する自動施錠処理部８２と、背面ドア解錠禁止処理を実行する背面ドア解錠禁止処理部８３と、正面ドア施錠処理を実行する正面ドア施錠処理部８４と、特定者施錠処理を実行する特定者施錠処理部８５と、設定時刻解錠禁止処理を実行する設定時刻解錠禁止処理部８６と、設定時刻解錠処理を実行する設定時刻解錠処理部８７と、を含んで構成される。
【００８２】
また、制御装置５０は、その他にも、指紋認証装置４０が読み取った指紋を記憶部７０に記憶された指紋情報から検索してその者の認証を行う認証部９０と、上述した報知処理を行う報知制御部９１と、警報処理を行う警報制御部９２と、を有している。なお、警報制御部９２は、報知装置５１を利用して警報を鳴らすように構成されているため、本冷蔵庫１０においては、それら警報制御部９２と報知装置５１とを含んで、警報装置が構成されていると考えることができる。
【００８３】
＜変形例＞
上記第１実施例の冷蔵庫１０は、使用者とは異なる特定の者の指紋認証が行われた場合に、すべての背面ドア１２を施錠する特定者施錠処理が実行されるように構成されていたが、その場合に、すべての背面ドア１２を解錠する特定者解錠処理が実行されるようにすることもできる。つまり、この特定者解錠処理は、上述したロック機能オフスイッチ３８と同様の効果を発揮させるものであり、そのロック機能オフスイッチ３８に代えて、貯蔵庫に搭載することができる。したがって、この特定者解錠処理を実行可能とされた貯蔵庫は、例えば、大量に出し入れを行う場合や緊急時のメンテナンスの場合等において、背面ドア１２を開こうとするたびに指紋認証装置４０による認証を得る必要がなく、上記のような作業を効率的に行うことができる。
【００８４】
また、上記第１実施例の冷蔵庫１０は、背面ドア認証時解除処理や特定者施錠処理において、１人の指紋で施解錠を切り替える構成とさせていたが、複数人の指紋を連続して読み取った場合に、施解錠を切り替えるように構成することもできる。そのような構成とすれば、よりセキュリティ機能に優れた貯蔵庫となる。 
【００８５】
また、上機第１実施例の冷蔵庫１０に対して閉状態にある扉を開状態側に回動させる開扉装置を設けた構成、平たく言えば、自動扉の機能を有する貯蔵庫に、本発明の構成を採用することもできる。その自動扉の機能を有する貯蔵庫においては、例えば、開扉装置を作動させるための人感センサ等を設け、背面ドア認証時解錠処理によって背面ドア１２が解錠された後、人感センサによって人を検知した場合に、開扉装置によって背面ドア１２を開状態とするような構成とすることができる。また、例えば、背面ドア認証時解錠処理によって背面ドア１２が解錠された後、それと同時に、あるいは、一定時間経過後に、開扉装置によって背面ドア１２を開状態とするような構成とすることもできる。 
【実施例２】
【００８６】
上記第１実施例の冷蔵庫１０は、指紋認証装置４０が背面側にのみ設けられていた。それに対して、図１３に示すように、第２実施例の冷蔵庫１００は、第１認証装置としての背面側の指紋認証装置４０に加えて、第２認証装置として正面パネル３１に正面側指紋認証装置１０１が設けられている。そして、第２実施例の冷蔵庫１００は、正面ドア１１に対しても、背面ドア１２に対する処理である背面ドア認証時解錠処理、自動施錠処理、背面ドア解錠禁止処理と同様の処理を実行するように構成されている。具体的に言えば、制御装置５０は、正面側ロック装置２０によって正面ドア１１を施錠状態としておき、正面側指紋認証装置１０１によって使用者が認証された場合に、正面側ロック装置２０によって正面ドアを解錠状態とする正面ドア認証時解錠処理（第２扉認証時解錠処理）を実行するように構成される。また、制御装置５０は、正面ドア１１が閉じられ、かつ、使用者の認証から一定時間経過した場合に、正面ドア１１を正面側ロック装置２０によって施錠状態とする自動施錠処理を実行するように構成される。さらに、制御装置５０は、背面ドア１２が開かれている場合には、正面側ロック装置２０によって正面ドア１１が解錠状態となることを禁止する正面ドア解錠禁止処理（第２扉解錠禁止処理）を実行するように構成される。
【００８７】
また、第１実施例の冷蔵庫１０において実行可能とされていた特定者施錠処理，設定時刻解錠禁止処理，設定時刻解錠処理は、第２実施例の冷蔵庫１００においては、背面ドア１２だけでなく正面ドア１１も対象となっている。つまり、特定者施錠処理，設定時刻解錠禁止処理，設定時刻解錠処理においては、８つのドア１１，１２のすべてが施錠状態あるいは解錠状態とされるようになっている。
【００８８】
以上のように、第２実施例の冷蔵庫１００は、両面側のドア１１，１２とも、開くことができる使用者を登録された者のみに限定することができるため、よりセキュリティ機能に優れたものとなっている。
【００８９】
＜他の実施形態＞
上記２つの実施例の貯蔵庫が備える認証装置は、指紋認証装置とされていたが、それに限定されず、顔認証や声帯認証等の生体認証装置であってもよく、カード，認証用コードを用いた認証装置等であってもよい。ただし、容易に施解錠を行うという観点からすれば、他の道具を用いない、上記実施例のように生体認証装置を採用することが望ましい。また、上記２つの実施例においてロック装置２０，２１は、非接触式のものとされていたが、ソレノイドやモータを用いて機械的に施錠を行う接触式のものを採用することもできる。
【符号の説明】
【００９０】
１０…冷蔵庫〔貯蔵庫〕、１１…正面ドア〔第２扉〕、１２…背面ドア〔第１扉〕、１３…冷蔵庫本体〔貯蔵庫本体〕、１３ａ…貯蔵室、２０…正面側ロック装置〔第２ロック装置〕、２１…背面側ロック装置〔第１ロック装置〕、２２…本体側部材〔駆動源〕、３８…ロック機能オフスイッチ、４０…指紋認証装置〔第１認証装置〕、４１…センサ部、４２…背面ドア施解錠ランプ〔第２扉施解錠ランプ〕、４３…指紋認証ランプ〔認証ランプ〕、４４…正面ドア施解錠ランプ、５０…制御装置、５１…報知装置、５２…外部端末、５２ａ…表示装置、６０…統括管理装置、７０…記憶部、７１…タイマ〔時刻計時部〕、７２…記録部、７３…操作情報出力部、８０…施解錠切替部、８１…背面ドア認証時解錠処理部、８２…自動施錠処理部、８３…背面ドア解錠禁止処理部、８４…正面ドア施錠処理、８５…特定者施錠処理部、８６…設定時刻解錠禁止処理部、８７…設定時刻解錠処理部、９０…認証部、９１…報知制御部、９２…警報制御部、１００…冷蔵庫〔貯蔵庫〕、１０１…正面側指紋認証装置〔第２認証装置〕
【図１】
2020133986.tif 000003
【図２】
2020133986.tif 000004
【図３】
2020133986.tif 000005
【図４】
2020133986.tif 000006
【図５】
2020133986.tif 000007
【図６】
2020133986.tif 000008
【図７】
2020133986.tif 000009
【図８】
2020133986.tif 000010
【図９】
2020133986.tif 000011
【図１０】
2020133986.tif 000012
【図１１】
2020133986.tif 000013
【図１２】
2020133986.tif 000014
【図１３】
2020133986.tif 000015